(57)【要約】【課題】ＡＥＤの有効的な使い方として、温度管理の出来る屋外設置の可能な、安価で小型な、防水、防塵機能を備えた、取り付け工事の簡単な、壁掛け式屋外型ＡＥＤ収納ボックス装置を提供する。【解決手段】本収納ボックスは設定低温度に達すると低温度センサーが作動し、ＡＥＤ本体の底部を効果的に暖め、設定温度以上になるとヒーターは断となる。設定高温度以上に達すると高温度センサーが作動し、ボックスの裏面にある日陰の冷たい空気を正面部（１０１）二重構造の開放された空気層にファンで放出する。後面部（１０４）に吸気孔があり、吸気された冷たい空気はダクト（１１２）を通り正面部（１０１）の二重構造による開放された空気層に対して、排気部（１０８）に取り付けられたファンで上向きに放出される構成で、内部ボックス（１１１）を強制空気対流で低温バリアを形成し、二重構造によるトンネル効果も期待され温度上昇を抑えることが出来る。【選択図】図１
2013215369.tif 000002
【特許請求の範囲】
【請求項１】
自動体外式除細動器（ＡＥＤ）を壁掛け式ボックスに収納し、その壁掛け式ボックスを屋外に設置する、壁掛け式屋外型ＡＥＤ収納ボックス装置。
【請求項２】
請求項１に記載の、壁掛け式屋外型ＡＥＤ収納ボックス装置であって、前記ボックスの正面部（１０１）、側面右側部（１０２）、側面左側部（１０３）、後面部（１０４）、及び上部（１０５）に、内部ボックス（１１１）から数センチメートル離れた耐熱遮蔽板（１０６）を設け、内部ボックス（１１１）との間の開放された空気層に空気対流を促し、内部ボックス（１１１）の温度上昇を抑えることを特徴とした、壁掛け式屋外型ＡＥＤ収納ボックス装置。
【請求項３】
請求項１に記載の、壁掛け式屋外型ＡＥＤ収納ボックス装置であって、さらに、前記ボックスの後面部（１０４）の吸気部（１０７）から内部ボックス（１１１）の中央部にある温度設定センサー部（１１０）を設け、温度上昇時に温度設定センサー部（１１０）が作動したとき、正面部（１０１）の二重構造による開放された空気層に、排気部（１０８）に取り付けられたファンで、裏面にある日陰の冷たい空気を強制排気し低温バリアを形成し、高温から内部ボックス（１１１）を守ることを特徴とした壁掛け式屋外型ＡＥＤ収納ボックス装置。
【請求項４】
請求項１に記載の、壁掛け式屋外型ＡＥＤ収納ボックス装置であって、前記ボックスにヒーター部（１０９）を設け、温度降下時に温度設定センサー部（１１０）が作動したときヒーター部（１０９）でヒートアップすることで低温度管理を行なうことを特徴とした、壁掛け式屋外型ＡＥＤ収納ボックス装置。
【請求項５】
請求項１に記載の、壁掛け式屋外型ＡＥＤ収納ボックス装置であって、前記ボックスの内部ボックス（１１１）の中央部に温度設定センサー部（１１０）を設け、温度上昇時、温度降下時の温度管理を行なうことを特徴とした、壁掛け式屋外型ＡＥＤ収納ボックス装置。
【請求項６】
請求項１に記載の、壁掛け式屋外型ＡＥＤ収納ボックス装置であって、前記ボックス  の窓に対しては遮熱フィルムで窓からの温度上昇を抑えることを特徴とした壁掛け式屋外型ＡＥＤ収納ボックス装置。
【請求項７】
請求項１に記載の、壁掛け式屋外型ＡＥＤ収納ボックス装置であって、前記ボックスの開口扉、窓に対しては防水用クッション材のゴムパッキン等で内部ボックス（１１１）内に雨水の防水対策を施し、内部ボックス（１１１）開口部の周囲には防水溝を施したことを特徴とした壁掛け式屋外型ＡＥＤ収納ボックス装置。
【請求項８】
請求項１に記載の、壁掛け式屋外型ＡＥＤ収納ボックス装置であって、前記ボックスは、小型軽量化され、加工、物流、設置、管理が容易に出来ることを特徴とした壁掛け式屋外型ＡＥＤ収納ボックス装置。
【請求項９】
請求項１に記載の、壁掛け式屋外型ＡＥＤ収納ボックス装置であって、前記ボックスは、家の屋根と同じ傾斜角度を持たせ、雨、雪を前記ボックス上部に滞留させることなく、色彩も朱色とし目立ち存在感を持たせたことを特徴とした壁掛け式屋外型ＡＥＤ収納ボックス装置。
【発明の詳細な説明】
【技術分野】
【０００１】
壁掛け式屋外型ＡＥＤ収納ボックス装置の周囲に耐熱遮蔽板（二重構造）（１０６）を設け、直接日光が内部ボックス（１１１）に直射することを避ける。
【背景技術】
【０００２】
ＡＥＤはほとんど屋内に設置されており、特に公共施設等では夜間鍵がかかり、突然の心肺停止状態が発生した場合には、在っても使えない状態が生じてしまう。安価な小型の壁掛け式屋外型ＡＥＤ収納ボックス装置は強く要望されている。
【０００３】
内部ボックス（１１１）中央部にある温度設定センサー部（１１０）が設定温度内であれば、高温対策として、耐熱遮蔽板（二重構造）（１０６）だけでの空気対流で温度管理を行い内部ボックス（１１１）を高温から守る。
【０００４】
内部ボックス（１１１）中央部にある温度設定センサー部（１１０）が作動し、低温度設定外に達したとき、低温対策として、内部ボックス（１１１）にセットしてあるＡＥＤの下部をヒーター部（１０９）でヒートアップすることで温度管理を行い内部ボックス（１１１）を低温から守る。
【０００５】
内部ボックス（１１１）中央部にある温度設定センサー部（１１０）が作動し、高温設定外に達したとき、高温対策として、ボックス裏面にある日陰の冷たい空気を後面部（１０４）の吸気部（１０７）から吸い込み、ダクト（１１２）を通り、正面部（１０１）の二重構造による開放された空気層に対して、排気部（１０８）に取り付けられたファンで、裏面にある日陰の冷たい空気を強制排気し低温バリアを形成し、高温から内部ボックス（１１１）を守る。
【０００６】
屋内型ＡＥＤ収納ボックスはすでに多く現存しているが、ＡＥＤの持っている保存温度（温度特性）があり、そのままでは屋外に出す事は出来ない。心肺停止事故の確率が高い屋外に、安価で小型の壁掛け式屋外型ＡＥＤ収納ボックス装置は期待されている。
【０００７】
ＡＥＤ収納ボックスを屋外に設置する場合、本当の敵は雨風ではなく温度です。それも高温です。低温対策としては低温を暖めれば解決しますが、高温が内部ボックス（１１１）に入ってしまった場合の温度降下は相当のエネルギーを使います。そこで耐熱遮蔽板（１０６）を設け、高温を内部ボックス（１１１）に入れないことがポイントとなる。エアコン等の電気機器に依存することは、価格が高くなり急速な普及は難しいと考えられる。
【発明の概要】
【発明が解決しようとする課題】
【０００８】
ＡＥＤが屋内に設置されている状況では、特に公共施設等では夜間鍵がかかり、突然の心肺停止状態が発生した場合には、在っても使えない状態が生じてしまう。まして突然の心肺停止には、その場に居合わせた人の迅速な救命救急活動が重要になり、日頃から目にする場所に多くあり、目立つことでＡＥＤの存在を認識し、いざと言うときに迅速な処置が可能となる。自立式屋外型ＡＥＤ収納ボックス装置は不特定多数者を主に対応し、安価で小型の壁掛け式屋外型ＡＥＤ収納ボックス装置は特定多数者を主に対応するが、温度管理の問題上屋内にしか設置できなかったＡＥＤを屋外に数多く設置出来るようになれば、心肺停止状態の発生確率の高い屋外での救助をいつでも素早く行うことが出来る。
【０００９】
ＡＥＤは高価であり、毎日の目視点検も義務付けられており、消耗品期限を遵守する保守メンテナンスには抵抗感を感じることもある。高価な交換部品とその時期、また使用期間も５年がほとんどであり、社会的必要性の認識は高いが本来必要な屋外設置への急速な普及は難しい。現在屋内に設置されているＡＥＤの有効的な活用方法として安価で小型の壁掛け式屋外型ＡＥＤ収納ボックス装置に入れ屋外に設置することが要望されている。
【課題を解決するための手段】
【００１０】
ＡＥＤを屋外に設置する場合は、防水、防塵、温度対策を解決しなければならない。ＡＥＤの屋外設置を普及させる方法としての安価で小型の壁掛け式屋外型ＡＥＤ収納ボックス装置は、この対策を施してあることを特徴とする。
【００１１】
請求項２を解決する方法であって、壁掛け式屋外型ＡＥＤ収納ボックス装置の正面（１０１）、側面右側部（１０２）、側面左側部（１０３）、後面部（１０４）、及び上部（１０５）に、内部ボックス（１１１）から数センチメートル離れた耐熱遮蔽板（１０６）を設け、その空間は二重構造になっており、内部ボックス（１１１）との間の開放された空気層になっている。真夏の直射日光で熱せられた耐熱遮蔽板（１０６）の正面部（１０１）は、７０℃〜８０℃に熱せられ、二重構造の開放された空気層を輻射熱で熱するが、空気は熱せられると対流が発生し外気が入り込み温度上昇を抑えることを特徴とした、壁掛け式屋外型ＡＥＤ収納ボックス装置である。
【００１２】
請求項３を解決する方法であって、二重構造の空気の対流だけでは対応できない温度上昇が発生した場合には、内部ボックス（１１１）中央部にある温度設定センサー部（１１０）が作動し、高温度設定外に達したとき、高温対策として、ボックス裏面にある日陰の冷たい空気を後面部（１０４）の吸気部（１０７）から吸い込み、ダクト（１１２）を通り、正面部（１０１）の二重構造による開放された空気層に対して、排気部（１０８）に取り付けられたファンで、裏面にある日陰の冷たい空気を強制排気し低温バリアを形成し、高温から内部ボックス（１１１）を守る事を、特徴とした壁掛け式屋外型ＡＥＤ収納ボックス装置である。
【００１３】
請求項４を解決する方法であって、壁掛け式屋外型ＡＥＤ収納ボックス装置の高温対策時には効果的であった耐熱遮蔽板（１０６）の二重構造も、低温時には温度の方向性がなく全体が冷えるため効果的ではない。低温時で設定温度外のときは温度設定センサー部（１１０）が作動し、安全が施されたヒーター部（１０９）のラバーヒーターでヒートアップを行い、温度降下時の温度管理を行なう事を特徴とした、壁掛け式屋外型ＡＥＤ収納ボックス装置である。
【００１４】
請求項３、及び請求項４を解決する方法であって、内部ボックス（１１１）中央部に温度管理用センサーを用いた、温度設定センサー部（１１０）を設け、温度上昇時、温度降下時の設定された温度管理を制御することを特徴とした、壁掛け式屋外型ＡＥＤ収納ボックス装置である。
【発明の効果】
【００１５】
ＡＥＤは高価であり、毎日の目視点検も義務付けられており、消耗品期限を遵守する保守メンテナンスには抵抗感を感じることもある。高価な交換部品とその時期、また使用期間も５年がほとんどであり、社会的必要性の認識は高いが本来必要な屋外設置への急速な普及は難しい。現在屋内に設置されているＡＥＤの有効的な活用方法として安価で小型の壁掛け式屋外型ＡＥＤ収納ボックス装置に入れ屋外に設置することが要望されている。
【００１６】
ＡＥＤを壁掛け式屋外型ＡＥＤ収納ボックス装置に収納し、防水、防塵、温度管理を用いて屋外設置を可能とすることで、結果として社会的要求の高いＡＥＤを有効利用することで高い効果が得られる。
【発明を実施するための形態】
【００１７】
壁掛け式屋外型ＡＥＤ収納ボックス装置は、防水、防塵、温度管理（高温度対策、低温度対策）で構成されている。
【００１８】
高温度対策として、内部ボックス（１１１）が設定温度内であるときは、耐熱遮蔽板（１０６）と内部ボックス（１１１）の間の二重構造による空気の自然対流で内部ボックス（１１１）を熱から守るように構成されている。
【００１９】
高温度対策として、内部ボックス（１１１）が設定温度外に達した時は、内部ボックス（１１１）中央部にある温度設定センサー部（１１０）が作動し、ボックス裏面にある日陰の冷たい空気を後面部（１０４）の吸気部（１０７）から吸い込み、ダクト（１１２）を通り、正面部（１０１）の二重構造による開放された空気層に対して、排気部（１０８）に取り付けられたファンで、裏面にある日陰の冷たい空気を強制排気し低温バリアを形成し、高温から内部ボックス（１１１）を守るように構成されている。
【００２０】
温度制御としての耐熱遮蔽板（１０６）は内部ボックス（１１１）から数センチメートル離れた場所に設けられ、正面（１０１）、側面右側部（１０２）、側面左側部（１０３）、後面部（１０４）、及び上部（１０５）から構成され、材料は鉄板、樹脂等がある。
【００２１】
内部ボックス（１１１）から数センチメートル離れた耐熱遮蔽板（１０６）との間の開放された空気層で、熱による空気の自然対流と温度設定センサー部（１１０）の作動により、ボックス裏面にある日陰の冷たい空気を後面部（１０４）の吸気部（１０７）から吸い込み、ダクト（１１２）を通り、正面部（１０１）の二重構造による開放された空気層に対して、排気部（１０８）に取り付けられたファンで上向きに放出され、内部ボックス（１１１）を強制空気対流で低温バリアを形成し、二重構造によるトンネル効果も期待され温度上昇を抑えることが出来る。
【００２２】
防塵対策としては、吸、排気孔全てにフィルターを設け、外部からの塵、虫対策を施した構成になっている。
【００２３】
防水対策としては、開口扉、取っ手部分、窓に対してはクッション材としてパッキン等で内部ボックス（１１１）への防水対策を施し、また、開口部の周囲には防水溝を施した構成になっている。
【００２４】
安価で小型の壁掛け式屋外型ＡＥＤ収納ボックス装置は、特定多数者のエリアでは日頃から目にする場所に設置され、目立つことで常に存在感があり脳裏に設置場所が記憶され、いざと言うときに迅速な処置が可能となる。
【実施例１】
【００２５】
駅、公共施設等に設置されているＡＥＤはほとんどが屋内である。しかし心肺停止事故のほとんどが屋外で発生しており、患者が倒れてから３分以内に救命救急処置をすれば後遺症なく社会復帰できる可能性が高いと言われている。ＡＥＤ設置場所を記憶しており、心肺停止事故の患者を発見しすぐに処置を行なう場合の３分の時間配分は、ＡＥＤ設置場所まで走って取りに行く所要時間が1分であれば、帰りも１分かかり、ＡＥＤでの処置に１分掛かれば３分となる。患者からＡＥＤまでの所要時間1分を距離に換算すれば約２００ｍであり、１台のＡＥＤのカバー出来る範囲は半径２００ｍと考えられる。ＡＥＤが屋外にあればなお救える命が多くなるといえる。
【００２６】
屋内設置されているＡＥＤの有効利用として、ＡＥＤを屋外型ボックスに入れて外へ設置する方法がある。屋外設置でも、自立式屋外型ＡＥＤ収納ボックス装置は、通行人、買い物客等の不特定多数者に対して目立つが故に効果的である。学校、公共施設等の特定多数者に対しては、安価で小型の壁掛け式屋外型ＡＥＤ収納ボックス装置が有効的であり、安価であるので急速に普及する可能性がある。
【００２７】
ＡＥＤの使用期間は５年間がほとんどである。５年を経過するまでに必然的に交換しなければならない交換部品があり、また日々のＡＥＤ状態を目視確認点検は義務化されている。目立つ場所に設置される壁掛け式屋外型ＡＥＤ収納ボックス装置はそれらのことに対処し易い。
【産業上の利用可能性】
【００２８】
現在、ＡＥＤの設置台数は色々な設置形態はあるものの３０万台以上と言われているが、正式な台数の把握が出来ていないが現状である。しかも設置されている殆どが盗難、悪戯等の心配、防水、防塵、温度管理の対策が困難などの理由から屋内設置されているものがほとんどである。屋内設置では施設が夜間施錠されれば、ＡＥＤがあっても使えない状況となり、いざと言うとき使用出来ない。突然の心肺停止事故にはその場に居合わせた人の迅速な救命救急活動が重要であるので、日頃から常にＡＥＤの存在を認識できる、壁掛け式屋外型ＡＥＤ収納ボックス装置であればそれに対応することが可能である。
【図面の簡単な説明】
【００２９】
【図１】壁掛け式屋外型ＡＥＤ収納ボックス装置の図
【符号の説明】
【００３０】
（１０１）    正面部
直射日光から内部ボックス（１１１）を高温度から守るための耐熱遮蔽板（１０６）で構成されている。
（１０２）    側面右側部
直射日光から内部ボックス（１１１）を高温度から守るための耐熱遮蔽板（１０６）で構成されている。
（１０３）    側面左側部
直射日光から内部ボックス（１１１）を高温度から守るための耐熱遮蔽板（１０６）で構成されている。
（１０４）    後面部
裏面の日陰の冷たい空気を確保するため壁との間を確保するように構成されている。
（１０５）    上部（屋根）
二重構造で耐熱遮蔽板の役割と雨、雪を落とすため傾斜がある。
（１０６）    耐熱遮蔽板
二重構造の前面で直射日光の高温度を防御する役割                              と直接、雨、風が内部ボックス（１１１）に掛からないようにする。
（１０７）    吸気部
裏面の日陰の冷たい空気を正面部（１０１）に放出するための空気の取り入れ口。
（１０８）    排気部
ファンが取り付けられており、裏面の日陰の冷たい空気を正面部（１０１）に放出する空気の排気口。
（１０９）    ヒーター部
低温度時にヒートアップするため、安全なラバーヒーターで構成されている。
（１１０）    温度設定センサー
低温度センサーと高温度センサーで構成されている。
（１１１）    内部ボックス
ＡＥＤ本体の収納ボックスで、温度設定センサー（１１０）が内蔵されており、温度管理されている。
（１１２）    ダクト
裏面の日陰の冷たい空気を効率よく正面部（１０１）に放出するためのダクト機能で構成されている。
【図１】
2013215369.tif 000003